(57)【特許請求の範囲】
【請求項１】
建物の最上階の上方に設置される小屋組を、前記最上階の床面上に収まるように前記建物への取付向きに対して左右いずれかに角度をずらした向きで、かつ、前記小屋組を支持する支持部材にほぼ直接取付可能な形状に、前記最上階の床面上において組み立てる組立工程と、
その向きを保ちつつ前記支持部材への取付高さまで鉛直上方に吊り上げる吊上工程と、
前記支持部材への取付向きまで回転させる回転工程と、
前記支持部材に取り付ける取付工程と
を有することを特徴とする小屋組の構築方法。
【請求項２】
請求項１記載の小屋組の構築方法において、
前記小屋組は、方形屋根又は寄棟屋根を基本構造とする屋根の四方に流れる各屋根面の同じ高さ位置を、前記屋根の頂部を一周するように支持する略四角枠状に配置された枠梁と、該枠梁と前記支持部材との間を、前記屋根面の傾斜方向に沿うように連結する連結梁とから成ること
を特徴とする小屋組の構築方法。
【請求項３】
請求項２記載の小屋組の構築方法において、
前記枠梁の一部と前記連結梁とが、一体に形成されたベント梁で構成されていること
を特徴とする小屋組の構築方法。
【請求項４】
請求項２または３記載の小屋組の構築方法において、
前記枠梁の上面には、該枠梁によって支持される前記屋根面と平行な上面を有する桁材が設けられていること
を特徴とする小屋組の構築方法。
【請求項５】
請求項２〜４のいずれかに記載の小屋組の構築方法において、
前記組立工程は、前記枠梁の上に、該枠梁によって前記屋根面が支持される高さ位置よりも上部の屋根面を構成する上部屋根パネルを取り付ける上部屋根パネル取付工程を含むこと
を特徴とする小屋組の構築方法。
【発明の詳細な説明】
【０００１】
【発明の属する技術分野】
本発明は、建物の最上階の上方に設置される小屋組の構築方法に関する。
【０００２】
【背景の技術】
従来、住宅などの建物の小屋組を構築する際には、高所において梁・束・棟木・母屋・垂木などの部材を組み立てていた。しかし、作業位置が高所であるために作業性が悪く、施工に手間と時間を要していた。
【０００３】
そこで、小屋組を地上で予め組み立てた上で、クレーンなどで吊り上げて屋根部分に取り付けることにより、高所における作業を削減する方法が考えられる。
【０００４】
【発明が解決しようとする課題】
しかし、都市部などでは、土地を有効に利用するため、敷地のほぼ全面を利用するような建物を建設する場合が多い。従って、敷地内において、構築しようとする建物の外側に、上記のように小屋組を地上で組み立てるための余地を確保することは難しい。
また、敷地外の場所で小屋組を予め組み立てた上で、建物の建設現場まで運搬する方法も考えられる。しかし、組み立てられた小屋組は、建物の平面とほぼ等しいかそれを上回る平面寸法を持つため、都市部の狭小な道路を利用して建物の建設現場へ運搬することには難がある。
【０００５】
本発明の課題は、建物が密集する地域の敷地に建物を構築する際などに、小屋組の組立作業を専ら建物の外壁線よりも内側で行い、かつ危険な高所作業を大幅に少なくして施工に必要な手間と時間を削減できる、小屋組の構築方法を提供することである。
【０００６】
【課題を解決するための手段】
上記の課題を解決するため、請求項１記載の小屋組の構築方法は、例えば図１、図５及び図６に示すように、
建物Ａの最上階の上方に設置される小屋組１を、前記最上階の床面（二階の床面）３上に収まるように前記建物Ａへの取付向きに対して左右いずれかに角度をずらした向きで、かつ、前記小屋組１を支持する支持部材（壁パネル）２にほぼ直接取付可能な形状に、前記最上階の床面３上において組み立てる組立工程と、その向きを保ちつつ前記支持部材２への取付高さまで鉛直上方に吊り上げる吊上工程と、
前記支持部材２への取付向きまで回転させる回転工程と、
前記支持部材２に取り付ける取付工程と
を有することを特徴とする。
【０００７】
この請求項１記載の発明によれば、前記組立工程において、小屋組１を、前記最上階の床面（二階の床面）３上に収まるように前記建物Ａへの取付向きに対して左右いずれかに角度をずらした向きで、かつ、前記小屋組１を支持する支持部材（壁パネル）２にほぼ直接取付可能な形状に、前記最上階の床面３上において組み立てるので、高い安全性および作業性を確保できる前記最上階の床面３上において、小屋組１を、前記支持部材２にほぼ直接取付可能な形状に組み立てることができる。したがって、該組立工程において、高所作業を省略することができる。
また、前記組立工程において、前記小屋組１を、前記最上階の床面３上において組み立てるので、建物が密集する地区内に建物Ａを建設する場合など、建物Ａの外側に小屋組１を組み立てるための作業スペースを確保することが難しい場合に、本小屋組の構築方法を適用することができる。
また、前記小屋組１を、組立工程において前記支持部材２にほぼ直接取付可能な形状に組み立てた上で、吊上工程および回転工程において前記支持部材２への取付高さおよび取付向きまで移動し、取付工程において前記支持部材２に取り付けるので、小屋組１の施工に要する手間が削減され、工期の短縮を図ることができる。
【０００８】
請求項２記載の発明は、例えば図１に示すように、請求項１記載の小屋組の構築方法において、
前記小屋組１は、方形屋根又は寄棟屋根を基本構造とする屋根２０の四方に流れる各屋根面２１の同じ高さ位置を、前記屋根２０の頂部を一周するように支持する略四角枠状に配置された枠梁１１と、該枠梁１１と前記支持部材２との間を、前記屋根面２１の傾斜方向に沿うように連結する連結梁１２とから成ること
を特徴とする。
【０００９】
この請求項２記載の発明によれば、請求項１と同様の効果が得られるとともに、略四角枠状に配置された前記枠梁１１によって前記屋根２０の中央部が支持され、この枠梁１１と前記支持部材２との間が、前記屋根面２１の傾斜方向に沿う前記連結梁１２によって連結されているので、前記屋根２０が前記小屋組１によって安定的に支持される。
【００１０】
請求項３記載の発明は、例えば図３に示すように、請求項２記載の小屋組の構築方法において、
前記枠梁１１の一部と前記連結梁１２とが、一体に形成されたベント梁１０で構成されていること
を特徴とする。
【００１１】
この請求項３記載の発明によれば、請求項２と同様の効果が得られるとともに、前記枠梁１１の一部と前記連結梁１２とが、一体に形成されたベント梁１０で構成されているので、該ベント梁１０を互いに組み合わせることによって、前記小屋組１を簡便かつ確実に組み立てることができる。
また、前記枠梁１１の一部と前記連結梁１２とが、一体に形成されたベント梁１０で構成されているので、前記小屋組１を構成する部材の点数が少なくなり、これらの部材の搬送や取回しに要する手間を削減できる。
【００１２】
請求項４記載の発明は、例えば図３に示すように、請求項２又は３記載の小屋組の構築方法において、
前記枠梁１１の上面には、該枠梁１１によって支持される前記屋根面２１と平行な上面を有する桁材１３が設けられていること
を特徴とする。
【００１３】
この請求項４記載の発明によれば、請求項２又は３と同様の効果が得られるとともに、前記枠梁１１の上面には、該枠梁１１によって支持される前記屋根面２１と平行な上面を有する桁材１３が設けられているので、該桁材１３の上に、前記屋根面２１を構成する屋根パネル２２，２３を載置して固定することで、前記枠梁１１の上に、前記桁材１１を間に介して、前記屋根パネル２２，２３を簡便かつ確実に取り付けることができる。
【００１４】
請求項５記載の発明は、例えば図４に示すように、請求項２〜４のいずれかに記載の小屋組の構築方法において、
前記組立工程は、前記枠梁１１の上に、該枠梁１１によって前記屋根面２１が支持される高さ位置よりも上部の屋根面２１を構成する上部屋根パネル２２を取り付ける上部屋根パネル取付工程を含むこと
を特徴とする。
【００１５】
この請求項５記載の発明によれば、請求項２〜４のいずれかと同様の効果が得られるとともに、前記組立工程は、前記枠梁１１の上に、該枠梁１１によって前記屋根面２１が支持される高さ位置よりも上部の屋根面２１を構成する上部屋根パネル２２を取り付ける上部屋根パネル取付工程を含むので、高い安全性および作業性を確保できる前記最上階の床面３上において、前記枠梁１１の上に、前記上記屋根パネル２２を取り付けることができる。したがって、前記小屋組１の上に屋根パネル２２，２３を取り付ける高所作業の一部を省略できる。
また、前記上部屋根パネル２２の周囲の屋根面２１を構成する他の屋根パネル２３を取り付ける際に、前記組立工程において予め前記枠梁１１の上に取り付けられた上部屋根パネル２２を足場として利用することができる。したがって、前記他の屋根パネル２３の取付作業を簡便に行うことができる。
【００１６】
【発明の実施の形態】
以下、図面を参照して、本発明の小屋組の構築方法の実施の形態を詳細に説明する。図１及び図４〜図６は、本実施の形態の小屋組の構築方法の手順を示す斜視図である。
【００１７】
本実施の形態の小屋組の構築方法は、予め工場で製作された木製のパネルを建設現場で組み立てて構築される二階建ての建物Ａに適用されるものである。この建物Ａの屋根２０は、図２に点線で示すように、方形屋根を基本構造としている。
【００１８】
この小屋組の構築方法は、図１および図２に示すように、建物Ａの最上階の上方に設置される小屋組１を、前記二階の床面３上に収まるように前記建物Ａへの取付向きに対して右周りに略３０度角度をずらした向きで、かつ、前記小屋組１を支持する壁パネル２にほぼ直接取付可能な形状に、前記二階の床面３上において組み立てる組立工程と、図５に示すように、その向きを保ちつつ前記壁パネル２への取付高さまで鉛直上方に吊り上げる吊上工程と、図６に示すように、前記壁パネル２への取付向きまで左回りに略３０度回転させる回転工程と、前記壁パネル２に取り付ける取付工程と、から概略構成されている。
【００１９】
ここで、前記組立工程は、図４に示すように、後述する枠梁１１の上に、該枠梁１１によって前記屋根面２１が支持される高さ位置よりも上部の屋根面２１を構成する上部屋根パネル２２を取り付ける上部屋根パネル取付工程を含んでいる。
【００２０】
また、図１に示すように、前記小屋組１は、方形屋根を基本構造とする屋根２０の四方に流れる各屋根面２１の同じ高さ位置を、前記屋根２０の頂部を一周するように支持する略四角枠状に配置された枠梁１１と、該枠梁１１と前記壁パネル２との間を、前記屋根面２１の傾斜方向に沿うように連結する連結梁１２とから成る。
前記枠梁１１の一部と前記連結梁１２とは、図３に示すように、側面から見た状態で略ヘの字形になるように一体に形成された、Ｈ形鋼から成るベント梁１０で構成されている。
このベント梁１０の枠梁１１部分のフランジ１１ｆの上面には、該枠梁１１部分によって支持される前記屋根面２１と平行な上面を有する、木製の桁材１３が、ボルトで取り付けられている。
【００２１】
上記組立工程においては、まず、上記ベント梁１０を４本、上記建物Ａの二階の床面３上に搬入する。そして、これらベント梁１０の梁枠１１部分の連結梁１２と反対側の端部１０Ａのウェブ１０Ａｗを、他のベント梁１０の梁枠１１部分の連結梁１２側の端部１０Ｂのウェブ１０Ｂｗに、図２に示すように上方から見た状態で互いに直角になるようにして、図３に示すように、梁受金物１５を介してボルトにより締結する。
この際、図２に示すように、上記ベント梁１０によって構成される小屋組１が、前記建物Ａへの取付向きに対して右周りに略３０度角度をずらした向きになるようにして、４本の上記ベント梁１０の枠梁１１部分によって四角形状の枠が形成されるように、これらベント梁１０を互いに締結する。
【００２２】
そして、図４に示すように、前記ベント梁１０の枠梁１１部分の上に設けられた桁材１３の上に、略ピラミッド形状になるように４枚の前記上部屋根パネル２２を載置し、これら上部屋根パネル２２の隣接部を釘および接着剤により互いに固定するとともに、各上部屋根パネル２２の下端部を前記桁材１３に、釘および接着剤により固定する。
【００２３】
次いで、図５に示すように、４本の前記ベント梁１０の枠梁１１部分によって形成される四角形状の枠の４つの隅角部近傍、すなわち、各ベント梁１０の梁枠１１部分の連結梁１２側の端部１０Ｂ近傍を、吊上用のケーブル４に固定し、小屋組１を、その向きを保ちつつ前記壁パネル２への取付高さまで、図示しないクレーンによって鉛直上方に吊り上げる。
【００２４】
そして、図６に示すように、前記クレーンによって前記壁パネル２への取付高さに吊り上げられた状態で、小屋組１を、左周りに略３０度回転させて、前記壁パネル２への取付向きに合わせる。
【００２５】
最後に、図３に示すように、小屋組１を構成する各ベント梁１０の連結梁１２部分の枠梁１１と反対側の端部１０Ｃのウェブ１０Ｃｗを、前記壁パネル２に、梁受金物１６を介してボルトにより締結する。
【００２６】
小屋組１の取付が終了したら、前記上部屋根パネル２２を足場として、該上部屋根パネル２２の周囲の屋根面２１を構成する他の屋根パネル２３（図８では一枚のみ図示）を、前記枠梁１１と壁パネル２との間に順次取り付ける。
屋根２０の基本構造である方形屋根部分の屋根面から側方に突出する切妻屋根部分については、図８に示すように、ベント梁１０のうち一本の側面と壁パネル２との間に棟木１８を取り付けた上で、屋根パネルを取り付ける。
【００２７】
以上、本実施の形態の小屋組の構築方法によれば、前記組立工程において、小屋組１を、前記最上階の床面（二階の床面）３上に収まるように前記建物Ａへの取付向きに対して左右いずれかに角度をずらした向きで、かつ、前記小屋組１を支持する支持部材（壁パネル）２にほぼ直接取付可能な形状に、前記最上階の床面３上において組み立てるので、高い安全性および作業性を確保できる前記最上階の床面３上において、小屋組１を、前記支持部材２にほぼ直接取付可能な形状に組み立てることができる。したがって、該組立工程において、高所作業を省略することができる。
また、前記組立工程において、前記小屋組１を、前記二階の床面３上において組み立てるので、建物が密集する地区内に建物Ａを建設する場合など、建物Ａの外側に小屋組１を組み立てるための作業スペースを確保することが難しい場合に、本小屋組の構築方法を適用することができる。
また、前記小屋組１を、組立工程において前記壁パネル２にほぼ直接取付可能な形状に組み立てた上で、吊上工程および回転工程において前記壁パネル２への取付高さおよび取付向きまで移動し、取付工程において前記壁パネル２に取り付けるので、小屋組１の施工に要する手間が削減され、工期の短縮を図ることができる。
【００２８】
また、略四角枠状に配置された前記枠梁１１によって前記屋根２０の中央部が支持され、この枠梁１１と前記壁パネル２との間が、前記屋根面２１の傾斜方向に沿う前記連結梁１２によって連結されているので、前記屋根２０が前記小屋組１によって安定的に支持される。
【００２９】
また、前記枠梁１１の一部と前記連結梁１２とが、一体に形成されたベント梁１０で構成されているので、該ベント梁１０を互いに組み合わせることによって、前記小屋組１を簡便かつ確実に組み立てることができる。
また、前記枠梁１１の一部と前記連結梁１２とが、一体に形成されたベント梁１０で構成されているので、前記小屋組１を構成する部材の点数が少なくなり、これらの部材の搬送や取回しに要する手間を削減できる。
【００３０】
また、前記枠梁１１の上面には、該枠梁１１によって支持される前記屋根面２１と平行な上面を有する桁材１３が設けられているので、該桁材１３の上に、前記屋根面２１を構成する屋根パネル２２，２３を載置して固定することで、前記枠梁１１の上に、前記桁材１１を間に介して、前記屋根パネル２２，２３を簡便かつ確実に取り付けることができる。
【００３１】
また、前記組立工程は、前記枠梁１１の上に、該枠梁１１によって前記屋根面２１が支持される高さ位置よりも上部の屋根面２１を構成する上部屋根パネル２２を取り付ける上部屋根パネル取付工程を含むので、高い安全性および作業性を確保できる前記二階の床面３上において、前記枠梁１１の上に、前記上記屋根パネル２２を取り付けることができる。したがって、前記小屋組１の上に屋根パネル２２，２３を取り付ける高所作業の一部を省略できる。
また、前記上部屋根パネル２２の周囲の屋根面２１を構成する他の屋根パネル２３を取り付ける際に、前記組立工程において予め前記枠梁１１の上に取り付けられた上部屋根パネル２２を足場として利用することができる。したがって、前記他の屋根パネル２３の取付作業を簡便に行うことができる。
【００３２】
なお、本発明は上記の実施の形態に限定されることなく、本発明の主旨を逸脱しない範囲において、種々の改良並びに設計の変更を行ってもよい。
例えば、図９および図１０に示すように、多雪地域に構築される建物Ｂに本発明の小屋組の構築方法を適用する場合には、枠梁１１１および連結梁１１２に加えて、他のベント梁１１７を組み合わせて小屋組１０１を構成することにより、積雪によってより大きな荷重を受ける屋根１２０を支持可能な小屋組１０１とすることができる。
また、上記の実施の形態は、パネル工法によって構築され、方形屋根を屋根の基本構造とする二階建ての建物Ａに、本発明の小屋組の構築方法を適用したものであるが、木造軸組構造や、壁式鉄筋コンクリート構造、鉄骨ラーメン構造など、パネル工法以外の構造形式により構築される建物にも、本発明の小屋組の構築方法を適用することができる。
その他、具体的な細部構造などについても適宜に変更可能であることは勿論である。
【００３３】
【発明の効果】
請求項１記載の発明によれば、前記組立工程において、小屋組を、前記最上階の床面上に収まるように前記建物への取付向きに対して左右いずれかに角度をずらした向きで、かつ、前記小屋組を支持する支持部材にほぼ直接取付可能な形状に、前記最上階の床面上において組み立てるので、高い安全性および作業性を確保できる前記最上階の床面上において、小屋組を、前記支持部材にほぼ直接取付可能な形状に組み立てることができる。したがって、該組立工程において、高所作業を省略することができる。
また、前記組立工程において、前記小屋組を、前記最上階の床面上において組み立てるので、建物が密集する地区内に建物を建設する場合など、建物の外側に小屋組を組み立てるための作業スペースを確保することが難しい場合に、本小屋組の構築方法を適用することができる。
また、前記小屋組を、組立工程において前記支持部材にほぼ直接取付可能な形状に組み立てた上で、吊上工程および回転工程において前記支持部材への取付高さおよび取付向きまで移動し、取付工程において前記支持部材に取り付けるので、小屋組の施工に要する手間が削減され、工期の短縮を図ることができる。
【００３４】
請求項２記載の発明によれば、請求項１と同様の効果が得られるとともに、略四角枠状に配置された前記枠梁によって前記屋根の中央部が支持され、この枠梁と前記支持部材との間が、前記屋根面の傾斜方向に沿う前記連結梁によって連結されているので、前記屋根が前記小屋組によって安定的に支持される。
【００３５】
請求項３記載の発明によれば、請求項２と同様の効果が得られるとともに、前記枠梁の一部と前記連結梁とが、一体に形成されたベント梁で構成されているので、該ベント梁を互いに組み合わせることによって、前記小屋組を簡便かつ確実に組み立てることができる。
また、前記小屋組を構成する部材の点数が少なくなるので、これらの部材の搬送や取回しに要する手間を削減できる。
【００３６】
請求項４記載の発明によれば、請求項２又は３と同様の効果が得られるとともに、前記枠梁の上面には、該枠梁によって支持される前記屋根面と平行な上面を有する桁材が設けられているので、該桁材の上に、前記屋根面を構成する屋根パネルを載置して固定することで、前記枠梁の上に、前記桁材を間に介して、前記屋根パネルを簡便かつ確実に取り付けることができる。
【００３７】
請求項５記載の発明によれば、請求項２〜４のいずれかと同様の効果が得られるとともに、前記組立工程は、前記枠梁の上に、該枠梁によって前記屋根面が支持される高さ位置よりも上部の屋根面を構成する上部屋根パネルを取り付ける上部屋根パネル取付工程を含むので、高い安全性および作業性を確保できる前記最上階の床面上において、前記枠梁の上に、前記上記屋根パネルを取り付けることができる。したがって、前記小屋組の上に屋根パネルを取り付ける高所作業の一部を省略できる。
また、前記上部屋根パネルの周囲の屋根面を構成する他の屋根パネルを取り付ける際に、前記組立工程において予め前記枠梁の上に取り付けられた上部屋根パネルを足場として利用することができる。したがって、前記他の屋根パネルの取付作業を簡便に行うことができる。
【図面の簡単な説明】
【図１】本発明の小屋組の構築方法の一例における組立工程を示す、斜視図である。
【図２】同例における組立工程を示す、伏図である。
【図３】同例において小屋組を構成する枠梁および連結梁を示す、側面図である。
【図４】同例における組立工程（上部屋根パネル取付工程）を示す、斜視図である。
【図５】同例における吊上工程を示す、斜視図である。
【図６】同例における回転工程および取付工程を示す、斜視図である。
【図７】同例における取付工程を示す、伏図である。
【図８】同例における取付工程を示す、伏図である。
【図９】本発明の小屋組の構築方法の他の一例における組立工程を示す、伏図である。
【図１０】本発明の小屋組の構築方法の他の一例における取付工程を示す、伏図である。
【符号の説明】
１，１０１      小屋組
２，１０２      支持部材（壁パネル）
３，１０３      最上階の床面（二階の床面）
１０，１１０    ベント梁
１１，１１１    枠梁
１２，１１２    連結梁
１３，１１３    桁材
２０，１２０    屋根
２１，１２１    屋根面
２２，１２２    上部屋根パネル
Ａ，Ｂ          建物
【図１】
0004266268.tif 000002
【図２】
0004266268.tif 000003
【図３】
0004266268.tif 000004
【図４】
0004266268.tif 000005
【図５】
0004266268.tif 000006
【図６】
0004266268.tif 000007
【図７】
0004266268.tif 000008
【図８】
0004266268.tif 000009
【図９】
0004266268.tif 000010
【図１０】
0004266268.tif 000011